(57)【要約】【課題】羽根が開状態のときに、羽根の端面での光線の反射を抑制しつつ、羽根同士の乗り上げを防止できるバリアユニットを提供する。【解決手段】基盤１と、基盤１に開閉自在に取り付けられ、閉状態において所定の端面２ａ，３ａが互いに当接する一対の羽根２，３とを備える。一対の羽根２，３の所定の端面２ａ，３ａの長手方向中央部に、レンズの光軸に対して傾斜した面でなる傾斜部２ｂ，３ｂを設けるとともに、所定の端面２ａ，３ａにおける傾斜部２ｂ，３ｂの両側に、レンズの光軸に対して平行な面でなる平行部２ｃ，３ｃを設ける。【選択図】図５
2010231202.tif 000002
【特許請求の範囲】
【請求項１】
基盤と、
前記基盤に開閉自在に取り付けられ、閉状態において所定の端面が互いに当接する一対の羽根とを備え、
前記一対の羽根の所定の端面の長手方向中央部に、レンズの光軸に対して傾斜した面でなる傾斜部が設けられているとともに、
前記所定の端面における前記傾斜部の両側に、レンズの光軸に対して平行な面でなる平行部が設けられていることを特徴とするバリアユニット。
【請求項２】
前記一対の羽根の傾斜部は、光軸を挟んで互いに反対方向に傾斜していることを特徴とする請求項１記載のバリアユニット。
【請求項３】
前記所定の端面の平行部の厚みが、前記所定の端面の傾斜部の厚みよりも厚いことを特徴とする請求項１記載のバリアユニット。
【請求項４】
基盤と、
前記基盤に開閉自在に取り付けられ、閉状態において、レンズの光軸に対して平行な面でなる所定の端面が互いに当接する一対の羽根とを備え、
前記所定の端面に、第１の厚みの部分と、前記第１の厚みよりも厚い第２の厚み部分とが設けられていることを特徴とするバリアユニット。
【請求項５】
前記羽根が金属のプレス部品で構成されていることを特徴とする請求項１から請求項４のいずれか１項に記載のバリアユニット。
【発明の詳細な説明】
【技術分野】
【０００１】
本発明は、スティルカメラやビデオムービーカメラのレンズ等を保護するために、使用されるバリアユニットに関する。
【背景技術】
【０００２】
特許文献１は、従来のバリアユニットを開示している。このバリアユニットによれば、２枚の同一形状の羽根を用いて良好な閉塞状態が得られる。
【先行技術文献】
【特許文献】
【０００３】
【特許文献１】特開平５−２７３０１号公報
【発明の概要】
【発明が解決しようとする課題】
【０００４】
図１２は、従来の一般的なバリアユニットの光軸方向に沿う断面図である。このバリアユニットは、光線Ｃが入射可能な開口部１ａを有するカバー１と、該カバー１の開口部１ａを開閉可能な一対の第１、第２の羽根２，３とを備えている。羽根２，３は、光軸Ｅを挟んで対称に設けられている。一対の羽根２，３は、図１２に示す開状態において、光軸方向に平行な所定の端面２ａ，３ａがカバー１の開口部１ａの外側に退避し、閉状態において、所定の端面２ａ，３ａが互いに当接する。
【０００５】
ところで、第１、第２の羽根２，３の端面２ａ，３ａは一般に光線を反射しやすい。特に、第１、第２の羽根２，３が金属のプレス部品でできている場合、この反射が起こりやすい。例えば図１２に示すように、羽根２，３が開状態のときに、バリアユニットへの入射光線Ｃは、端面２ａ，３ａで反射して、鏡胴内部へ入射し、フレアやゴーストといった光学的不具合を生じさせることがある。
【０００６】
端面２ａ，３ａでの光線Ｃの反射は、羽根２，３が開状態のときにおけるカバー１の開口部１ａの周辺部からの羽根２，３の後退量ｄを十分大きく設定することにより防止可能である。しかし、後退量ｄを大きく設定することはバリアユニットの小型化を阻害する。また、羽根２，３の厚みｔを十分薄くすることにより、この端面２ａ，３ａでの光線の反射を減少させることが可能である。しかし、羽根２，３の厚みｔを薄くすると、羽根２，３が閉状態のときの端面２ａ，３ａ同士の厚み方向の係合量が少なくなる。このため、図１３に示すように、羽根２，３の位置が厚み方向に若干ずれたような場合に、端面２ａ，３ａ同士が当接せず、羽根２，３同士の乗り上げが発生しやすくなる。つまり、羽根２，３の開閉不良が発生しやすくなるという問題がある。
【０００７】
本発明は、上記課題を解決すべくなされたものであり、一対の羽根が閉状態のときに羽根同士が乗り上げるのを防止することができるバリアユニットを提供することを目的とする。また、本発明は、羽根が開状態のときに羽根の端面で光線が反射するのを抑制することができるバリアユニットを提供することを目的とする。
【課題を解決するための手段】
【０００８】
本発明の第１の態様のバリアユニットは、基盤と、基盤に開閉自在に取り付けられ、閉状態において所定の端面が互いに当接する一対の羽根とを備える。一対の羽根の所定の端面の長手方向中央部に、レンズの光軸に対して傾斜した面でなる傾斜部が設けられている。さらに、所定の端面における傾斜部の両側に、レンズの光軸に対して平行な面でなる平行部が設けられている。
【０００９】
本発明の第２の態様のバリアユニットは、基盤と、基盤に開閉自在に取り付けられ、閉状態において、レンズの光軸に対して平行な面でなる所定の端面が互いに当接する一対の羽根とを備える。所定の端面には、第１の厚みの部分と、前記第１の厚みよりも厚い第２の厚み部分とが設けられている。
【発明の効果】
【００１０】
第１の態様のバリアユニットによれば、一対の羽根の所定の端面の長手方向中央部に、レンズの光軸に対して傾斜する傾斜部が設けられているので、羽根の所定の端面における光線の反射が抑制される。したがって、光線の反射によって発生するフレアやゴーストの発生を抑制することができる。さらに、所定の端面における前記傾斜部の両側に、レンズの光軸に対して平行な面でなる平行部が設けられているので、羽根が閉状態のときに、所定の端面同士が当接する。これにより、羽根が閉状態のときに、羽根同士が互いに乗り上げて動作不良を起こすことを抑制できる。
【００１１】
第２の態様のバリアユニットによれば、一対の羽根の所定の端面に他の部分よりも厚みの厚い部分が設けられているので、羽根が閉状態のときに、羽根の位置が厚み方向に若干ずれたとしても、所定の端面同士が一層当接しやすくなる。これにより、羽根が閉状態のときに羽根が互いに乗り上げて動作不良を起こすことを一層良好に抑制できる。
【図面の簡単な説明】
【００１２】
【図１】実施の形態１のバリアユニットの部品構成を表す上面斜視図である。
【図２】実施の形態１のバリアユニットの部品構成を表す下面斜視図である。
【図３】実施の形態１のバリアユニットの開状態の平面図である。
【図４】実施の形態１のバリアユニットの閉状態の平面図である。
【図５】実施の形態１のバリアユニットの第１、第２の羽根の詳細斜視図である。
【図６】実施の形態１のバリアユニットの羽根の開状態での断面図である（羽根の中央部分）。
【図７】実施の形態１のバリアユニットの羽根の閉状態での断面図である（羽根の中央部分）。
【図８】実施の形態２のバリアユニットの第１、第２の羽根の詳細斜視図である。
【図９】実施の形態２のバリアユニットの羽根の閉状態での断面図である（羽根の中央部分）。
【図１０】実施の形態３のバリアユニットの第１、第２の羽根の詳細斜視図である。
【図１１】実施の形態４のバリアユニットの第１、第２の羽根の詳細斜視図である。
【図１２】従来のバリアユニットの羽根の開状態での断面図である（羽根の中央部分）。
【図１３】従来のバリアユニットの羽根の閉状態での断面図である。
【発明を実施するための最良の形態】
【００１３】
（実施の形態１）
図１は、実施の形態１のバリアユニットの部品構成を表す上面斜視図、図２は実施の形態１のバリアユニットの部品構成を表す下面斜視図、図３は実施の形態１のバリアユニットの開状態の平面図、図４は実施の形態１のバリアユニットの閉状態の平面図、図５は実施の形態１のバリアユニットの第１、第２の羽根２，３の詳細斜視図、図６は実施の形態１のバリアユニットの羽根の開状態での断面図（羽根の中央部分）、図７は実施の形態１のバリアユニットの羽根の閉状態での断面図（羽根の中央部分）である。
【００１４】
バリアユニットは、カバー１と、第１の羽根２と、第２の羽根３と、基盤４と、第１のリング５と、第２のリング６と、第１のバネ７と、第２のバネ８とを有している。
【００１５】
第１及び第２の羽根２，３は、回転穴１５，１６に基盤４上の軸９，１０が挿通されることによって基盤４に対して回転自在に取り付けられている。第１及び第２の羽根２，３は、金属のプレス部品によって作られているが、その他の方法により作ることもできる。
【００１６】
カバー１は、該カバー１に一体的に設けられた弾性を有するフック１１が、基盤４に設けられたフックストッパー１２に係合することによって、基盤４に取り付けられる。この状態において、第１、第２の羽根２，３は、カバー１と基盤４との間に所定の間隙をもって回動自在に挟み込まれている。カバー１には、開口部１３が設けられている。
【００１７】
第１及び第２のリング５，６は、基盤４の円筒部１４に回転自在に取り付けられている。第１のリング５に設けられたカムピン１９，２０は、第１及び第２の羽根２，３に設けられた長穴１７，１８に係合し、羽根２，３を回転駆動する。
【００１８】
第１のバネ７は、第１のリング５のバネかけ部２１と第２のリング６のバネかけ部２２に張架されている。
【００１９】
第２のバネ８は、第２のリング６のバネかけ部２３と基盤４のバネかけ部２４に張架されている。
【００２０】
第２のリング６にはリング凸部２５が設けられている。リング凸部２５は、第１のリング５の切欠き部２６に挿入されている。
【００２１】
基盤４には開口部２７が設けられている。
【００２２】
第２のリング６にはカム部２８が設けられている。カム部２８は、図示しない駆動手段により付勢されている。これにより、第２のリング６は、Ｂ方向に回転するように付勢されることとなる。また、第１、第２の羽根２，３が閉方向（Ｂ方向）に回転するように、付勢されることとなる。
【００２３】
第１、第２のリング５，６は、第１のバネ７によって一体となっている。第２のリング６が閉方向（Ｂ方向）にカム部２８を介して駆動され、第１、第２の羽根２，３が閉じた後、さらに第２のリング６が閉方向に回転駆動させられた場合、第１のバネ７が伸びる。これにより、第２のリング６の第１のリング５に対する行き過ぎが回避される。第２のバネ８によって、第２のリング６が開方向に付勢され、リング凸部２５、切欠き部２６を介して第１のリング５を駆動する。カムピン１９は、長穴１７を介して第１の羽根２を開方向に付勢する。これにより、第１の羽根２は、ストッパー２９に押し付けられ、当接して止まる。
【００２４】
図５に示すように、第１及び第２の羽根２，３は、羽根２，３が閉状態のときに互いに当接する端面２ａ，３ａ（以下、適宜、「当接端面２ａ，３ａ」という）を有している。当接端面２ａ，３ａの長手方向ほぼ中央部にはレンズの光軸Ｅに対して傾斜する傾斜部２ｂ，３ｂが設けられている。一対の羽根２，３の傾斜部２ａ，３ａは、光軸Eを挟んで互いに反対方向に傾斜している。傾斜部２ｂ，３ｂの両端側には、レンズの光軸Ｅに対して平行な端面である平行部２ｃ，３ｃが設けられている。
【００２５】
図１〜図５に開示したようなバリアユニットにおいて、第１、第２の羽根２，３の当接端面２ａ，３ａは光線を反射しやすい。特にこの反射は、第１、第２の羽根２，３が金属のプレス部品でできている場合に起こりやすい。しかしながら、実施の形態１におけるバリアユニットでは、図６に示すように、当接端面２ａ，３ａの長手方向中央部に傾斜部２ｂ，３ｂが設けられている。この傾斜部２ｂ，３ｂにより、バリアユニットへの入射光線Ｃが第１、第２の羽根２，３の当接端面２ａ，３ａ上に入射することを防止でき、入射光線Ｃの当接端面２ａ，３ａ上での反射を防止できる。したがって、フレアやゴーストといった光学的不具合を発生させることがない。
【００２６】
また、傾斜部２ｂ，３ｂが設けられているので、図３，図６に示すように第１及び第２の羽根２，３が開状態のときにおけるカバー１の開口部１３の周辺部からの羽根２，３の後退量ｄを大きく設定しなくても、入射光線Ｃが第１及び第２の羽根２，３の当接端面２ａ，３ａで反射することがない。したがって、羽根２，３の後退量ｄを小さく設定することができ、これにより、バリアユニットの小型化を実現することができる。
【００２７】
また、当接端面２ａ，３ａの傾斜部２ｂ，３ｂの長手方向両端側に平行部２ｃ，３ｃが設けられている。このため、図７に示すように、羽根２，３が閉状態のときに、平行部２ｃ，３ｃが互いに当接する。ここで、平行部２ｃ，３ｃは、その厚みが傾斜部２ｂ，３ｂの厚みよりも厚くなるように形成される。これにより、羽根２，３の中央部に厚みが薄い傾斜部２ｂ，３ｂを設けた場合でも、羽根２，３が閉状態のときに、平行部２ｃ，３ｃが確実に当接するため、羽根２，３の乗り上げを防止し、動作不良を抑制できる。
【００２８】
（実施の形態２）
図８は、実施の形態２のバリアユニットの第１、第２の羽根２，３の詳細斜視図である。図９は、実施の形態２のバリアユニットの羽根２，３の閉状態での断面図（羽根の中央部分）である。実施の形態２のバリアユニットでは、図８に示すように、傾斜部２ｂ，３ｂの両端側に設けられた平行部２ｃ，３ｃの中央部の厚みｔ２を、それ以外の部分（傾斜部２ｂ，３ｂ部分及びその長手方向の端部近傍の部分）の厚みｔ１よりも厚くしている。これにより、羽根２，３が閉状態のときに、図９に示すように羽根２，３が閉状態のときの厚み方向の係合可能量が大きくなる。したがって、羽根２，３が閉状態のときに羽根２，３の位置が厚み方向に若干ずれたとしても、端面２ａ，３ａ同士が互いに当接しやすくなる。これにより、羽根２，３が閉状態のときに羽根２，３同士が互いに乗り上げて動作不良を起こすのが一層良好に抑制される。
【００２９】
（実施の形態３）
図１０は、実施の形態３のバリアユニットの第１、第２の羽根２，３の詳細斜視図である。実施の形態３のバリアユニットの第１、第２の羽根２，３も、実施の形態２と同様、平行部２ｃ，３ｃの一部分の厚みｔ２を他の部分の厚みｔ１よりも厚くしている。具体的には、平行部２ｃ，３ｃの中央部２ｄ，３ｄをプレス成形で押し出すことで突出部を形成し、厚みが異なる部分を形成している。実施の形態３によれば、平行部２ｃ，３ｃを有する第１、第２の羽根２，３を、平坦な金属板を利用して、プレス成形という容易な方法により形成することができる。
【００３０】
（実施の形態４）
図１１は、実施の形態４のバリアユニットの第１、第２の羽根２，３の詳細斜視図である。図１１に示すように、第１及び第２の羽根２，３の端面２ａ，３ａは、羽根２，３が閉状態のときに互いに当接する。当接端面２ａ，３ａの両端部２ｃ，３ｃの厚みｔ２は、中央部２ｂ，３ｂの厚みｔ１よりも厚くなっている。これにより、羽根２，３が閉状態のときの厚み方向の係合可能量が大きくなる。したがって、羽根２，３が閉状態のときに羽根２，３の位置が厚み方向に若干ずれたとしても、端面２ａ，３ａ同士がお互いに当接しやすくなる。これにより、羽根２，３が閉状態のときに羽根２，３同士が互いに乗り上げて動作不良を起こすのが良好に抑制される。
【産業上の利用可能性】
【００３１】
本発明は、スティルカメラやビデオムービーカメラのレンズ等を保護するために使用されるバリアユニットに広く適用することができる。
【符号の説明】
【００３２】
１  カバー
２  第１の羽根
３  第２の羽根
４  基盤
２ａ，３ａ  当接端面（所定の端面）
２ｂ，３ｂ  傾斜部、中央部
２ｃ，３ｃ  平行部、両端部
【図１】
2010231202.tif 000003
【図２】
2010231202.tif 000004
【図３】
2010231202.tif 000005
【図４】
2010231202.tif 000006
【図５】
2010231202.tif 000007
【図６】
2010231202.tif 000008
【図７】
2010231202.tif 000009
【図８】
2010231202.tif 000010
【図９】
2010231202.tif 000011
【図１０】
2010231202.tif 000012
【図１１】
2010231202.tif 000013
【図１２】
2010231202.tif 000014
【図１３】
2010231202.tif 000015